(57)【要約】【課題】意図しない相手先への誤発呼を防止およびまたは監視できるファクシミリ装置や外付けの誤発呼監視装置を提供する。【解決手段】誤発呼監視部３０は、ＮＣＵ２４から電話回線２に送出されたダイアル信号を検出し、その検出したダイアル信号が示す第１の電話番号と、操作部１９などでユーザが送信先に指定した電話番号情報が示す第２の電話番号とが一致するか否かを比較し、一致しない場合に回線を切断する。また、第１の電話番号と第２の電話番号とを関連付けて、通信毎の履歴として記憶する。【選択図】図１
2007088724.tif 000002
【特許請求の範囲】
【請求項１】
送信先の電話番号情報が入力される電話番号入力手段と、
電話回線上に送出されるダイアル信号を検出するダイアル信号検出手段と、
前記検出されたダイアル信号が示す第１の電話番号と、前記電話番号入力手段で入力された前記電話番号情報が示す第２の電話番号とが一致するか否かを比較する比較手段と、
前記比較手段による比較の結果、前記第１の電話番号と前記第２の電話番号とが一致しない場合は、回線を切断する制御手段と
を有する
ことを特徴とするファクシミリ装置。
【請求項２】
宛先と電話番号情報とを関連付けて記憶する電話番号記憶手段と、
前記電話番号記憶手段に記憶されているものの中から電話番号情報を選択する選択手段と、
電話回線上に送出されるダイアル信号を検出するダイアル信号検出手段と、
前記検出されたダイアル信号が示す第１の電話番号と、前記選択手段で選択された前記電話番号情報が示す第２の電話番号とが一致するか否かを比較する比較手段と、
前記比較手段による比較の結果、前記第１の電話番号と前記第２の電話番号とが一致しない場合は、回線を切断する制御手段と
を有する
ことを特徴とするファクシミリ装置。
【請求項３】
送信先の電話番号情報が入力される電話番号入力手段と、
宛先と電話番号情報とを関連付けて記憶する電話番号記憶手段と、
前記電話番号記憶手段に記憶されているものの中から電話番号情報を選択する選択手段と、
電話回線上に送出されるダイアル信号を検出するダイアル信号検出手段と、
前記検出されたダイアル信号が示す第１の電話番号と、前記電話番号入力手段で入力された前記電話番号情報もしくは前記選択手段で選択された前記電話番号情報が示す第２の電話番号とが一致するか否かを比較する比較手段と、
前記比較手段による比較の結果、前記第１の電話番号と前記第２の電話番号とが一致しない場合は、回線を切断する制御手段と
を有する
ことを特徴とするファクシミリ装置。
【請求項４】
回線が切断されたことをユーザに通知する通知手段を有する          
ことを特徴とする請求項１乃至３のいずれか１つに記載のファクシミリ装置。
【請求項５】
前記通知手段は、操作表示手段に回線が切断された旨を表示する
ことを特徴とする請求項４に記載のファクシミリ装置。
【請求項６】
前記通知手段は、前記ユーザへ電子メールを送信する
ことを特徴とする請求項４に記載のファクシミリ装置。
【請求項７】
前記制御手段は、画像情報が送信先に送信される前に、回線を切断する
ことを特徴とする請求項１乃至３のいずれか１つに記載のファクシミリ装置。
【請求項８】
前記制御手段は、前記第１の電話番号と前記第２の電話番号とを記憶手段に記憶させる
ことを特徴とする請求項１乃至３のいずれか１つに記載のファクシミリ装置。
【請求項９】
前記制御手段は、前記第２の電話番号、もしくは前記第１の電話番号と前記第２の電話番号とを、通信毎に履歴として保存させる
ことを特徴とする請求項８に記載のファクシミリ装置。
【請求項１０】
前記制御手段は、前記比較手段による前記第１の電話番号と前記第２の電話番号との比較結果を、少なくとも前記第２の電話番号と関連付けて記憶手段に記憶させる
ことを特徴とする請求項８または９に記載のファクシミリ装置。
【請求項１１】
送信先の電話番号情報を入力する電話番号入力手段と、
電話回線上に送出されるダイアル信号を検出するダイアル信号検出手段と、
前記検出されたダイアル信号が示す第１の電話番号と、前記電話番号入力手段で入力された前記電話番号情報が示す第２の電話番号とを記憶手段に記憶させる制御手段と
を有する
ことを特徴とするファクシミリ装置。
【請求項１２】
宛先と電話番号情報とを関連付けて記憶する電話番号記憶手段と、
前記電話番号記憶手段に記憶されているものの中から電話番号情報を選択する選択手段と、
電話回線上に送出されるダイアル信号を検出するダイアル信号検出手段と、
前記検出されたダイアル信号が示す第１の電話番号と、前記選択手段で選択された前記電話番号情報が示す第２の電話番号とを記憶手段に記憶させる制御手段と
を有する
ことを特徴とするファクシミリ装置。
【請求項１３】
送信先の電話番号情報を入力する電話番号入力手段と、
宛先と電話番号情報とを関連付けて記憶する電話番号記憶手段と、
前記電話番号記憶手段に記憶されているものの中から電話番号情報を選択する選択手段と、
電話回線上に送出されるダイアル信号を検出するダイアル信号検出手段と、
前記検出されたダイアル信号が示す第１の電話番号と、前記電話番号入力手段で入力された前記電話番号情報もしくは前記選択手段で選択された前記電話番号情報が示す第２の電話番号とを記憶手段に記憶させる制御手段と
を有する
ことを特徴とするファクシミリ装置。
【請求項１４】
前記制御手段は、前記第２の電話番号、もしくは前記第２の電話番号と前記第１の電話番号とを、通信毎に履歴として保存させる
ことを特徴とする請求項１１乃至１３のいずれか１つに記載のファクシミリ装置。
【請求項１５】
ファクシミリ装置から送信先の電話番号情報を入手する電話番号入手手段と、
前記ファクシミリ装置が電話回線上に送出するダイアル信号を検出するダイアル信号検出手段と、
前記検出されたダイアル信号が示す第１の電話番号と、前記電話番号入手手段で入手した前記電話番号情報が示す第２の電話番号とが一致するか否かを比較する比較手段と、
前記比較手段による比較の結果、前記第１の電話番号と前記第２の電話番号とが一致しない場合は、前記ファクシミリ装置と電話回線とを切断する回線切断手段と
を有する
ことを特徴とする誤発呼監視装置。
【請求項１６】
前記ファクシミリ装置と電話回線とが切断されたことをユーザに通知する通知手段を有する
ことを特徴とする請求項１５に記載の誤発呼監視装置。
【請求項１７】
前記ファクシミリ装置から画像情報が送信先に送信される前に、前記ファクシミリ装置と電話回線とを切断する
ことを特徴とする請求項１５に記載の誤発呼監視装置。
【請求項１８】
前記第１の電話番号と第２の電話番号とを記憶する記憶手段をさらに有する
ことを特徴とする請求項１５に記載の誤発呼監視装置。
【請求項１９】
前記第２の電話番号、もしくは前記第１の電話番号と前記第２の電話番号とを、通信毎に履歴として保存させる
ことを特徴とする請求項１８に記載の誤発呼監視装置。
【請求項２０】
前記比較手段による前記第１の電話番号と前記第２の電話番号との比較結果を、少なくとも前記第２の電話番号と関連付けて記憶手段に記憶させる
ことを特徴とする請求項１８または１９に記載の誤発呼監視装置。
【請求項２１】
ファクシミリ装置から送信先の電話番号情報を入手する電話番号入手手段と、
前記ファクシミリ装置が電話回線上に送出するダイアル信号を検出するダイアル信号検出手段と、
前記検出されたダイアル信号が示す第１の電話番号と、前記電話番号入手手段で入手した前記電話番号情報が示す第２の電話番号とを記憶する記憶手段と
を有する
ことを特徴とする誤発呼監視装置。
【請求項２２】
前記第２の電話番号、もしくは前記第１の電話番号と前記第２の電話番号とを、通信毎に履歴として保存する
ことを特徴とする請求項２１に記載の誤発呼監視装置。
【発明の詳細な説明】
【技術分野】
【０００１】
本発明は、ファクシミリ装置の誤発呼防止に関する。
【背景技術】
【０００２】
ファクシミリ装置で原稿を送信する際に、何らかの要因で、ユーザの意図していない相手先に原稿が送られてしまう場合があり、かかる誤発呼を防止するための技術が各種提案されている。
【０００３】
たとえば、電話番号の人為的な入力ミスを防止するために、発呼時に入力された電話番号をダイアルバッファに一時記憶し、この電話番号と、予め電話番号記憶部に登録されている電話番号とを比較して、一致する番号と近似する番号の存在を確認する。そして、一致する電話番号が見付かったときは、ダイアルバッファに一時記憶してある電話番号が正しいと判断して発呼し、一致する電話番号が見付からなかったときは、近似する電話番号を表示してユーザに警告を与えるファクシミリ装置がある（たとえば、特許文献１参照。）。
【０００４】
また、互いに承認された装置間以外の誤送信を防止するために、送信側のファクシミリ装置で相手端末を表わす特殊コードを画像データ内の所定箇所に埋め込んで送信し、受信側のファクシミリ装置で受信した画像データ内の特殊コードが自端末を表わすものか否かを確認し、自端末を表わすものでない場合に通信を切断するようにしたファクシミリ装置がある（たとえば、特許文献２参照。）。
【特許文献１】特開平５−７２３７号公報
【特許文献２】特開平６−３３４８２６号公報
【発明の開示】
【発明が解決しようとする課題】
【０００５】
ユーザが意図していない相手先に原稿が送信される原因には、大別して、［１］ユーザの操作ミス（電話番号の誤入力、ワンタッチキーや短縮ダイアルの押し間違いなど）、［２］短縮ダイアルなどの登録ミス（ワンタッチキーや短縮ダイアル登録時の登録番号間違いなど）、［３］装置の誤動作（ハード的な要因やソフト的な要因による誤動作）がある。また、［４］当該ファクシミリ装置の外部電話端子に接続された別のファクシミリ装置による送信が当該ファクシミリ装置による誤発呼（誤送信）と混同される場合、もある。
【０００６】
特許文献１に開示された技術は、入力された電話番号と短縮ダイアルなどに登録されている電話番号とを比較することで、たとえば、１桁の入力ミスなどを発見してユーザに警告を出すものであり、上記“［１］ユーザの操作ミス”のうち、電話番号の誤入力に対しては有効であるが、ワンタッチキーの押し間違いや短縮ダイアル番号の入力ミスなどは検出できなかった。また、［２］〜［４］については対応できなかった。
【０００７】
特許文献２に開示された技術では、送信側のファクシミリ装置と受信側のファクシミリ装置とが共に、標準のプロトコルにはない、特殊コードに係わる機能を備えている必要があるので、他社のファクシミリ装置との通信では誤送信を防止できなかった。さらに、誤送信を防止するだけで、その原因を究明するための情報は提供されなかった。
【０００８】
実際、市場において誤発呼と思われる事象が発生した場合には、以下のような対応で原因究明が行なわれる。上記“［１］ユーザの操作ミス”が原因か否かについては、ファクシミリ装置内部の発信履歴データを参照して判断していた。上記“［２］登録ミス”が原因か否かについては、ファクシミリ装置内部の登録データを確認することで判断していた。
【０００９】
上記“［３］装置の誤動作”が原因か否かについては、電話会社などのキャリアから通信履歴を入手し、これとファクシミリ装置内部の発信履歴データとを比較することで判断していた。上記［４］の場合は、当該ファクシミリ装置内部にその誤発呼に係わる発信履歴データはないが、実際には相手先に原稿が送信されている場合があるため、上記［３］の場合と同様に電話会社から通信履歴を入手し、これと当該ファクシミリ装置や外付けされたファクシミリ装置の発信履歴データとを比較して原因を判断していた。
【００１０】
上記［３］・［４］については、電話会社などから通信履歴を入手しなければならないが、電話会社に対する通信履歴の入手要求は、個人情報の保護などからユーザ先からしかできない。このため、通信履歴の入力をお願いするユーザに迷惑をかけてしまうと共に、ユーザが通信履歴の入手や引渡しを拒否した場合には、製造者や販売者では、誤発呼の原因を究明できないという問題があった。
【００１１】
本発明は、上記の問題を解決しようとするものであり、意図しない相手先への誤発呼を防止することのできるファクシミリ装置および誤発呼監視装置を提供することを目的としている。
【００１２】
また、誤発呼と思われる事象が発生した場合に、その原因を究明するための効率的な情報を提供できるファクシミリ装置および誤発呼監視装置を提供することを目的としている。
【課題を解決するための手段】
【００１３】
上記の目的は、以下に示す各項の発明により達成される。
【００１４】
（１）送信先の電話番号情報が入力される電話番号入力手段と、
電話回線上に送出されるダイアル信号を検出するダイアル信号検出手段と、
前記検出されたダイアル信号が示す第１の電話番号と、前記電話番号入力手段で入力された前記電話番号情報が示す第２の電話番号とが一致するか否かを比較する比較手段と、
前記比較手段による比較の結果、前記第１の電話番号と前記第２の電話番号とが一致しない場合は、回線を切断する制御手段と
を有する
ことを特徴とするファクシミリ装置。
【００１５】
上記発明では、ファクシミリ装置が実際に電話回線に送出するダイアル信号をモニタして検出した第１の電話番号と、電話番号入力手段から入力された電話番号情報が示すユーザの指定する第２の電話番号とを比較し、これらが不一致の場合に回線を切断する。ユーザの指定した第２の電話番号と実際に電話回線に送出された第１の電話番号とが相違するケースには、たとえば、（ａ）電話番号入力手段から入力された電話番号情報を発呼回路に引き渡すまでのソフトウェア処理の誤り、（ｂ）発呼回路自体の誤動作、（ｃ）構内交換機など誘導成分によりダイアル信号に反射や歪みが生じる場合、などがある。
【００１６】
電話番号入力手段から入力された電話番号情報は、ユーザが送信先を指定する際の、いわば入口での電話番号であり、ダイアル信号検出手段が検知するダイアル信号はファクシミリ装置から電話回線へ送出する出口での電話番号である。したがって、これらを比較することで入口から出口までの途中のどの段階に原因があっても誤発呼を確実に検知して防止することができる。
【００１７】
（２）宛先と電話番号情報とを関連付けて記憶する電話番号記憶手段と、
前記電話番号記憶手段に記憶されているものの中から電話番号情報を選択する選択手段と、
電話回線上に送出されるダイアル信号を検出するダイアル信号検出手段と、
前記検出されたダイアル信号が示す第１の電話番号と、前記選択手段で選択された前記電話番号情報が示す第２の電話番号とが一致するか否かを比較する比較手段と、
前記比較手段による比較の結果、前記第１の電話番号と前記第２の電話番号とが一致しない場合は、回線を切断する制御手段と
を有する
ことを特徴とするファクシミリ装置。
【００１８】
上記発明では、ユーザは、電話番号記憶手段に予め記憶してあるものの中から電話番号情報を選択することで今回の送信先を指定する。たとえば、ワンタッチキーや短縮ダイアル番号の選択により電話番号情報を指定する。ファクシミリ装置は、実際に電話回線に送出されたダイアル信号から検出した第１の電話番号と、ユーザの選択した電話番号情報が示す第２の電話番号とを比較し、これらが不一致の場合に回線を切断する。
【００１９】
（３）送信先の電話番号情報が入力される電話番号入力手段と、
宛先と電話番号情報とを関連付けて記憶する電話番号記憶手段と、
前記電話番号記憶手段に記憶されているものの中から電話番号情報を選択する選択手段と、
電話回線上に送出されるダイアル信号を検出するダイアル信号検出手段と、
前記検出されたダイアル信号が示す第１の電話番号と、前記電話番号入力手段で入力された前記電話番号情報もしくは前記選択手段で選択された前記電話番号情報が示す第２の電話番号とが一致するか否かを比較する比較手段と、
前記比較手段による比較の結果、前記第１の電話番号と前記第２の電話番号とが一致しない場合は、回線を切断する制御手段と
を有する
ことを特徴とするファクシミリ装置。
【００２０】
上記発明では、ユーザは、送信先の電話番号情報を、電話番号入力手段から直接入力する方法と電話番号記憶手段に予め記憶して電話番号情報の中から選択する方法のいずれかで指定することができる。ファクシミリ装置は、実際に電話回線に送出されたダイアル信号から検出した第１の電話番号と、上記いずれかの方法で指定された電話番号情報が示す第２の電話番号とを比較し、これらが不一致の場合に回線を切断する。
【００２１】
（４）回線が切断されたことをユーザに通知する通知手段を有する      
ことを特徴とする（１）乃至（３）のいずれか１つに記載のファクシミリ装置。
【００２２】
上記発明では、電話回線に送出された第１の電話番号とユーザが指定した第２の電話番号との不一致に起因して回線を強制的に切断したことがユーザに通知される。
【００２３】
（５）前記通知手段は、操作表示手段に回線が切断された旨を表示する
ことを特徴とする（４）に記載のファクシミリ装置。
【００２４】
上記発明では、電話回線に送出された第１の電話番号とユーザが指定した第２の電話番号との不一致により回線を強制的に切断したことが、ファクシミリ装置の操作表示手段に表示される。
【００２５】
（６）前記通知手段は、前記ユーザへ電子メールを送信する
ことを特徴とする（４）に記載のファクシミリ装置。
【００２６】
上記発明では、電話回線に送出された第１の電話番号とユーザが指定した第２の電話番号との不一致により回線を強制的に切断したことが、外部端末などへの電子メールの送信で通知される。パーソナルコンピュータなど外部端末からのジョブ依頼でファクシミリ送信を実行した際に、その依頼元に回線の強制切断を通知する場合に適する。
【００２７】
（７）前記制御手段は、画像情報が送信先に送信される前に、回線を切断する
ことを特徴とする（１）乃至（３）のいずれか１つに記載のファクシミリ装置。
【００２８】
上記発明では、ダイアル信号が電話回線に送出されて発呼した後、画像情報が送信先に送信される前に回線を切断する。誤った相手へ画像情報が送信される前に回線を切断することで、秘密情報の漏洩などが防止される。
【００２９】
（８）前記制御手段は、前記第１の電話番号と前記第２の電話番号とを記憶手段に記憶させる
ことを特徴とする（１）乃至（３）のいずれか１つに記載のファクシミリ装置。
【００３０】
上記発明では、電話回線に送出された第１の電話番号とユーザが送信先に指定した第２の電話番号とが記憶手段に記憶される。後から誤発呼の原因を究明するための情報として利用可能になる。
【００３１】
（９）前記制御手段は、前記第２の電話番号、もしくは前記第１の電話番号と前記第２の電話番号とを、通信毎に履歴として保存させる
ことを特徴とする（８）に記載のファクシミリ装置。
【００３２】
上記発明では、電話回線に送出された第１の電話番号とユーザが送信先に指定した第２の電話番号とが、通信毎の履歴として記憶手段に保存される。たとえば、通信履歴として、送信の依頼者情報や通信時刻情報など各通信の関連情報と共に保存するとよい。
【００３３】
（１０）前記制御手段は、前記比較手段による前記第１の電話番号と前記第２の電話番号との比較結果を、少なくとも前記第２の電話番号と関連付けて記憶手段に記憶させる
ことを特徴とする（８）または（９）に記載のファクシミリ装置。
【００３４】
上記発明では、電話回線に送出された第１の電話番号とユーザが送信先に指定した第２の電話番号との比較結果が、第２の電話番号と関連付けて記憶される。記憶された通信情報の中から誤発呼に係わるものの判別が容易になる。第２の電話番号はユーザが意図した番号なので、該番号と比較結果とを関連付けて記憶することで、原因究明時のユーザによる検索が容易になる。
【００３５】
（１１）送信先の電話番号情報を入力する電話番号入力手段と、
電話回線上に送出されるダイアル信号を検出するダイアル信号検出手段と、
前記検出されたダイアル信号が示す第１の電話番号と、前記電話番号入力手段で入力された前記電話番号情報が示す第２の電話番号とを記憶手段に記憶させる制御手段と
を有する
ことを特徴とするファクシミリ装置。
【００３６】
上記発明では、ファクシミリ装置が実際に電話回線に送出するダイアル信号をモニタして検出した第１の電話番号と、電話番号入力手段から入力された電話番号情報が示すユーザの指定する第２の電話番号とを記憶手段に記憶させる。後から誤発呼の原因を究明するための情報として利用可能になる。
【００３７】
（１２）宛先と電話番号情報とを関連付けて記憶する電話番号記憶手段と、
前記電話番号記憶手段に記憶されているものの中から電話番号情報を選択する選択手段と、
電話回線上に送出されるダイアル信号を検出するダイアル信号検出手段と、
前記検出されたダイアル信号が示す第１の電話番号と、前記選択手段で選択された前記電話番号情報が示す第２の電話番号とを記憶手段に記憶させる制御手段と
を有する
ことを特徴とするファクシミリ装置。
【００３８】
上記発明では、ファクシミリ装置が実際に電話回線に送出するダイアル信号をモニタして検出した第１の電話番号と、電話番号記憶手段に予め記憶してあるものの中から選択された電話番号情報が示す第２の電話番号とを記憶手段に記憶させる。
【００３９】
（１３）送信先の電話番号情報を入力する電話番号入力手段と、
宛先と電話番号情報とを関連付けて記憶する電話番号記憶手段と、
前記電話番号記憶手段に記憶されているものの中から電話番号情報を選択する選択手段と、
電話回線上に送出されるダイアル信号を検出するダイアル信号検出手段と、
前記検出されたダイアル信号が示す第１の電話番号と、前記電話番号入力手段で入力された前記電話番号情報もしくは前記選択手段で選択された前記電話番号情報が示す第２の電話番号とを記憶手段に記憶させる制御手段と
を有する
ことを特徴とするファクシミリ装置。
【００４０】
上記発明では、ユーザは、送信先の電話番号情報を、電話番号入力手段から直接入力する方法と電話番号記憶手段に予め記憶して電話番号情報の中から選択する方法のいずれかで指定することができる。ファクシミリ装置は、実際に電話回線に送出されたダイアル信号から検出した第１の電話番号と、上記いずれかの方法で指定された電話番号情報が示す第２の電話番号とを記憶手段に記憶させる。
【００４１】
（１４）前記制御手段は、前記第２の電話番号、もしくは前記第２の電話番号と前記第１の電話番号とを、通信毎に履歴として保存させる
ことを特徴とする（１１）乃至（１３）のいずれか１つに記載のファクシミリ装置。
【００４２】
（１５）ファクシミリ装置から送信先の電話番号情報を入手する電話番号入手手段と、
前記ファクシミリ装置が電話回線上に送出するダイアル信号を検出するダイアル信号検出手段と、
前記検出されたダイアル信号が示す第１の電話番号と、前記電話番号入手手段で入手した前記電話番号情報が示す第２の電話番号とが一致するか否かを比較する比較手段と、
前記比較手段による比較の結果、前記第１の電話番号と前記第２の電話番号とが一致しない場合は、前記ファクシミリ装置と電話回線とを切断する回線切断手段と
を有する
ことを特徴とする誤発呼監視装置。
【００４３】
上記発明では、誤発呼監視装置は、ファクシミリ装置が実際に電話回線に送出したダイアル信号をモニタして検出した第１の電話番号と、ファクシミリ装置から入手した電話番号情報が示すユーザの指定する第２の電話番号とを比較し、これらが不一致の場合に回線を切断する。誤発呼監視装置は、たとえば、ファクシミリ装置と電話回線との間に介挿するように外付けで接続される。
【００４４】
（１６）前記ファクシミリ装置と電話回線とが切断されたことをユーザに通知する通知手段を有する
ことを特徴とする（１５）に記載の誤発呼監視装置。
【００４５】
上記発明では、電話回線に送出された第１の電話番号とユーザが指定した第２の電話番号との不一致により誤発呼監視装置がファクシミリ装置を電話回線から強制的に切断したことがユーザに通知される。通知方法や通知タイミングは問わない。たとえば、誤発呼監視装置に設けた表示部に表示したり、ファクシミリ装置に何らかの方法で通知して表示させたり、所定の外部端末へ電子メールを送信したりする通知方法などがある。
【００４６】
（１７）前記ファクシミリ装置から画像情報が送信先に送信される前に、前記ファクシミリ装置と電話回線とを切断する
ことを特徴とする（１５）に記載の誤発呼監視装置。
【００４７】
上記発明では、ファクシミリ装置が画像情報を送信し始める前に回線を切断する。誤発呼監視装置が、ダイアル信号を検知して不一致の場合に直ぐに切断すれば上記要件は満足される。また、プロトコルに係わる信号を監視して、画像情報が送出される前のタイミングで回線を切断してもよい。
【００４８】
（１８）前記第１の電話番号と第２の電話番号とを記憶する記憶手段をさらに有する
ことを特徴とする（１５）に記載の誤発呼監視装置。
【００４９】
上記発明では、電話回線に送出された第１の電話番号とユーザが送信先に指定した第２の電話番号とが誤発呼監視装置に記憶される。記憶された情報を後から読み出すことで、誤発呼の原因究明に役立つ情報が提供される。
【００５０】
（１９）前記第２の電話番号、もしくは前記第１の電話番号と前記第２の電話番号とを、通信毎に履歴として保存させる
ことを特徴とする（１８）に記載の誤発呼監視装置。
【００５１】
（２０）前記比較手段による前記第１の電話番号と前記第２の電話番号との比較結果を、少なくとも前記第２の電話番号と関連付けて記憶手段に記憶させる
ことを特徴とする（１８）または（１９）に記載の誤発呼監視装置。
【００５２】
（２１）ファクシミリ装置から送信先の電話番号情報を入手する電話番号入手手段と、
前記ファクシミリ装置が電話回線上に送出するダイアル信号を検出するダイアル信号検出手段と、
前記検出されたダイアル信号が示す第１の電話番号と、前記電話番号入手手段で入手した前記電話番号情報が示す第２の電話番号とを記憶する記憶手段と
を有する
ことを特徴とする誤発呼監視装置。
【００５３】
上記発明では、誤発呼監視装置は、ファクシミリ装置が実際に電話回線に送出するダイアル信号をモニタして検出した第１の電話番号と、ファクシミリ装置から入手した電話番号情報が示すユーザ指定の第２の電話番号とを記憶する。後から誤発呼の原因を究明するための情報として利用可能になる。
【００５４】
（２２）前記第２の電話番号、もしくは前記第１の電話番号と前記第２の電話番号とを、通信毎に履歴として保存する
ことを特徴とする（２１）に記載の誤発呼監視装置。
【発明の効果】
【００５５】
本発明に係わるファクシミリ装置および誤発呼監視装置であって、実際に電話回線に送出するダイアル信号を検出し、該検出したダイアル信号が示す第１の電話番号と、ユーザの指定した電話番号情報が示す第２の電話番号とを比較し、これらが不一致の場合に回線を強制的に切断するようにしたものでは、誤った相手先への画像情報の送信を防止することができる。
【００５６】
また、検出したダイアル信号が示す第１の電話番号と、ユーザの指定した電話番号情報が示す第２の電話番号とを記憶するものでは、誤発呼と思われる事象の原因究明に役立つ情報を提供することができる。
【発明を実施するための最良の形態】
【００５７】
以下、図面に基づき本発明の各種実施の形態を説明する。
【００５８】
図１は、本発明の第１の実施の形態に係わるファクシミリ装置１０の概略構成を示している。ファクシミリ装置１０は、当該装置の動作を統括制御する制御手段としてのＣＰＵ（中央処理装置）１１を備えている。ＣＰＵ１１には、バス１２を通じてＲＯＭ（Read Only Memory）１３と、ＲＡＭ（Random Access Memory）１４と、読取部１５と、記録部１６と、画像処理部１７と、表示部１８と、操作部１９と、不揮発記憶部２１と、ネットワークＩ／Ｆ（Interface）部２２と、ファクシミリ制御部２３とが接続されている。ファクシミリ制御部２３の配下にはＮＣＵ（Network Control Unit）２４と誤発呼監視部３０が接続されている。
【００５９】
ＲＯＭ１３は、ＣＰＵ１１が実行するプログラムや各種固定データを記憶している。ＲＡＭ１４は、ＣＰＵ１１がプログラムを実行する際に各種データを一時的に格納するワークメモリや、画像データを一時的に記憶する画像メモリとして使用される。
【００６０】
読取部１５は、原稿を読み取って対応する画像データを取り込む機能を果たす。読取部１５は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えている。ラインイメージセンサはＣＣＤ（Charge Coupled Device）で構成される。ラインイメージセンサが出力するアナログ画像信号はＡ／Ｄ変換され、デジタルの画像データとして出力される。
【００６１】
記録部１６は、画像データに対応する画像を記録紙上に形成する機能を果たす。ここでは、用紙の搬送装置と、感光体ドラムと、帯電装置と、レーザーユニットと、現像装置と、転写分離装置と、クリーニング装置と、定着装置とを有し、電子写真プロセスによって画像形成する、いわゆるレーザープリンタとして構成されている。
【００６２】
画像処理部１７は、画像を拡大・縮小したり、回転させたり、２値データで多階調を擬似表現するための誤差拡散処理などを施す機能を果たす。
【００６３】
表示部１８は、ユーザに各種の案内情報や状態情報、警告などを表示する機能を果たす。表示部１８には液晶ディスプレイなどが使用される。操作部１９は、ユーザから各種の操作や指示の入力を受け付ける機能を果たす。ここでは、液晶ディスプレイの表面に形成したタッチパネルと各種の操作スイッチとから構成される。不揮発記憶部２１は、電源をオフにしても記憶内容が保持される記憶手段である。不揮発記憶部２１には、各種の設定登録情報や通信履歴などが保存される。
【００６４】
なお、操作部１９は、送信先の電話番号情報が入力される電話番号入力手段として機能する。また、不揮発記憶部２１は、宛先と電話番号情報とを関連付けて記憶する電話番号記憶手段として機能し、操作部１９は、電話番号記憶手段に記憶されているものの中から電話番号情報を選択する選択手段としての機能を果たす。具体的には、短縮ダイアル番号やワンタッチキー毎に、宛先と電話番号情報とを関連付けて不揮発記憶部２１に登録することができ、操作部１９から短縮ダイアル番号を入力したりワンタッチキーを操作したりすることで、保存済の送信先の電話番号情報を選択できるようになっている。
【００６５】
ネットワークＩ／Ｆ部２２は、ＬＡＮ（Local Area Network）を介してパーソナルコンピュータなどの外部端末とファクシミリ装置１０とを接続するための通信機能を果たす。ファクシミリ装置１０は、ファクシミリ送信ジョブの指令や該ジョブで送信対象とする画像データをネットワークＩ／Ｆ部２２を介して外部端末から受信し、ファクシミリ装置１０から送信することができる。このようにしてファクシミリ送信ジョブを受ける場合には、ファクシミリ送信ジョブの指令の中に送信先を指定するための電話番号情報や短縮ダイアル番号、ワンタッチキーの番号が含まれる。したがって、電話番号入力手段や選択手段としての機能をネットワークＩ／Ｆ部２２が果たすことになる。同様に外部のファクシミリ装置から、画像データと共に転送指示を受信する場合が考えられる。この場合は、ＮＣＵ２４が電話番号入力手段としての機能を果たすこととなる。
【００６６】
ファクシミリ制御部２３は、ファクシミリのプロトコルに従って相手機とファクシミリ通信を実行するための各種制御を行なう。ファクシミリ制御部２３は、内部に図示省略のＣＰＵを備えており、該ＣＰＵにより通信手順を制御している。ＮＣＵ２４は、電話回線２と接続され、電話回線２上にダイアル信号を送出したり、着信を検知したり、信号を変調／復調したりする機能を果たす。誤発呼監視部３０は、ダイアル信号検出手段として機能し、ＮＣＵ２４が電話回線２に送出するダイアル信号を検出して、ユーザの意図しない相手方への誤発呼を監視およびまたは防止する機能を果たす。
【００６７】
図２は、ファクシミリ装置１０のうち、発呼動作に関連する部分の概略構成と処理の流れを示している。ファクシミリ装置１０は、発呼動作に関連する部分として、第１ソフト制御ブロック４０と、第２ソフト制御ブロック５０と、ダイアル送出回路２４ａと、誤発呼監視部３０とを備えている。
【００６８】
第１ソフト制御ブロック４０は、ファクシミリ送信を行なう際に送信先の電話番号情報を管理したり、ジョブの実行を統括的に制御したりする機能を果たす。第１ソフト制御ブロック４０は、ジョブ制御部４１と、パネル制御部４２と、ＦＡＸドライバ４３とを有する。ジョブ制御部４１は、ジョブの実行に係わる全体制御を行なう。パネル制御部４２は、表示部１８および操作部１９の動作を制御する。ＦＡＸドライバ４３は、第２ソフト制御ブロック５０とのインターフェースを行なう。第１ソフト制御ブロック４０の機能は主としてＣＰＵ１１で実行される。
【００６９】
第２ソフト制御ブロック５０は、ダイアル送出回路２４ａに対する制御を行ない、ＦＡＸ制御部５１と、回線制御部５２とを有する。ＦＡＸ制御部５１は、ファクシミリのプロトコルに従った通信制御を行なう。回線制御部５２は、ダイアル送出回路２４ａを制御して発呼動作を実行させる機能を果たす。第２ソフト制御ブロック５０に係わる動作は主としてファクシミリ制御部２３で実行される。
【００７０】
ダイアル送出回路２４ａは、ダイアル信号を電話回線２に送出して発呼動作を実行する回路であり、図１に示すＮＣＵ２４の一部に含まれる。ダイアル送出回路２４ａは、パルスダイアル式とプッシュボタン式のいずれでも発呼可能に構成されている。
【００７１】
誤発呼監視部３０は、回線切断回路３１と、ダイアル信号モニタ部３２とを備えている。回線切断回路３１は、電話回線２を強制的に切断するための回路であり、たとえば、電話回線２に直列に介挿されたリレー回路で構成される。ダイアル信号モニタ部３２は、ダイアル送出回路２４ａが電話回線２に送出したダイアル信号を検出するダイアル信号検出手段としての機能と、検出したダイアル信号が示す第１の電話番号と、電話番号入力手段で入力された電話番号情報もしくは選択手段で選択された電話番号情報が示す第２の電話番号（ユーザが送信先として指定した電話番号）とが一致するか否かを比較する比較手段と、比較手段による比較の結果、第１の電話番号と第２の電話番号とが一致しない場合は回線切断回路３１に回線を切断させる制御手段としての機能を果たす。なお、上述の電話番号が一致するか否かを比較する機能およびまたは回線を切断させる機能は、ＣＰＵが有していても構わない。
【００７２】
誤発呼監視部３０は、パルスダイアル式とプッシュボタン式のいずれのダイアル信号も検出可能に構成されている。
【００７３】
次に、図２に基づいてファクシミリ装置１０における発呼動作の流れを説明する。
【００７４】
第１ソフト制御ブロック４０は、ファクシミリ送信ジョブの依頼を受ける際に、送信先の電話番号情報の指定を受ける。その指定方法には、（ａ）操作部１９を通じてユーザが直接入力する方法、（ｂ）予め登録してあるものの中からワンタッチキーの操作や短縮ダイアル番号の入力によって選択する方法、（ｃ）ネットワークＩ／Ｆ部２２を通じて外部装置から入力を受ける方法、がある。１回のファクシミリ送信ジョブで複数の送信先を指定すること（同報送信機能）ができ、上記した３つの方法を任意に組み合わせて送信先の指定を受けることができる。
【００７５】
図２の例では、第１ソフト制御ブロック４０はワンタッチキーの操作や短縮ダイアル番号の入力により第１電話番号情報群６１の指定を受け付ける（Ｓ１）と共に、操作部１９からの直接入力により第２電話番号情報群６２を受け付ける（Ｓ２）。そして、これらの電話番号情報群６１、６２を整理してひとまとめにした電話番号情報群６３を作成し、これをＦＡＸドライバ４３から第２ソフト制御ブロック５０へ引き渡す（Ｓ３）。電話番号情報群６３の作成においては、同一の電話番号が重複して指定されている場合にそれらを１つにまとめたり、所定の規則で電話番号情報を整列させたりする処理などが施される。
【００７６】
また、第１ソフト制御ブロック４０は、このような処理を施すことなく第１電話番号情報群６１と第２電話番号情報群６２とを誤発呼監視部３０のダイアル信号モニタ部３２に通知する（Ｓ４）。この通知経路は、電話番号情報群６３の作成や通知とは独立の経路（ソフトウェア上は独立したタスク）で行なわれる。ダイアル信号モニタ部３２は、これらの電話番号情報群６１、６２を１つの番号テーブル６６に登録して記憶する。
【００７７】
第２ソフト制御ブロック５０のＦＡＸ制御部５１は第１ソフト制御ブロック４０から受け取った電話番号情報群６３に基づいて、１箇所ずつ順に発呼してファクシミリ送信を実行する。すなわち、電話番号情報群６３の中から選択した１つの電話番号情報６４を回線制御部５２に渡す（Ｓ５）。回線制御部５２はＦＡＸ制御部５１から入力された電話番号情報が示す電話番号の発呼動作を、ダイアル送出回路２４ａを制御して実行する（Ｓ６）。
【００７８】
誤発呼監視部３０は、ダイアル送出回路２４ａが電話回線２上に送出したダイアル信号を検出し（Ｓ７）、該ダイアル信号が示す電話番号（第１の電話番号）を認識する。そして、第１ソフト制御ブロック４０から通知された第１電話番号情報群６１および第２電話番号情報群６２が示す電話番号（第２の電話番号）とダイアル信号が示す第１の電話番号とを比較する。詳細には、ダイアル信号が示す第１の電話番号が、登録テーブル６６に登録してあるいずれかの電話番号と一致するか否かを判定する。一致するものが無ければ、回線切断回路３１を制御して回線を切断する（Ｓ８）。
【００７９】
回線の切断は、画像情報が送信先に送信される前に行なわれる。すなわち、ファクシミリ送信手順の内のＴ.３０に規定されるフェーズＣに入る前に回線を切断する。ここでは、ダイアル信号を検出して直ぐに電話番号の比較動作を行ない必要な場合に回線の切断を行なうので、回線の切断はフェーズＢに入る前に行なわれる。
【００８０】
このように、ユーザが指定した電話番号情報と実際に回線に送出されたダイアル信号が示す電話番号とが異なる誤発呼が検出された場合に、画像情報の送出前に回線を切断するので、誤った相手先に画像情報が誤送信されてしまうことがなくなり、秘密の漏洩などが防止される。
【００８１】
誤発呼は、たとえば、第１ソフト制御ブロック４０や第２ソフト制御ブロック５０でのソフトウェア処理の誤り、ダイアル送出回路２４ａの誤動作、構内交換機などの誘導成分によるダイアル信号の反射や歪みなどの様々な原因で生じる。本実施の形態では、ユーザが送信先を指定する入口での電話番号情報６１、６２と、電話回線２へ実際に送出されたダイアル信号が示す出口での電話番号とを比較するので、入口から出口までの途中のどの段階に原因が存在するかにかかわらず、誤発呼を確実に検知して防止することができる。
【００８２】
ダイアル信号モニタ部３２は、検出したダイアル信号から認識した第１の電話番号をダイアルモニタ情報６５として第２ソフト制御ブロック５０に通知し（Ｓ９）、第２ソフト制御ブロック５０はこれを第１ソフト制御ブロック４０に伝達する（Ｓ１０）。また、回線を切断したときは、回線切断の通知を、第２ソフト制御ブロック５０を経由して第１ソフト制御ブロック４０に伝達する（Ｓ９、Ｓ１０）。
【００８３】
第１ソフト制御ブロック４０は、回線切断の通知を受けると、その旨をユーザに通知する通知手段として機能する。ここでは、回線が切断されたことを表示部１８に表示する。また、所定の場合には、回線が切断されたことを電子メールを外部端末に送信して通知する。たとえば、回線切断に係わるファクシミリ送信ジョブがネットワークＩ／Ｆ部２２を通じて外部端末から依頼されたものの場合に、その外部端末に関連付けて予め登録されている電子メールアドレスに対して、回線の強制切断を通知するための電子メールを送信する。また、保守管理者などの電子メールアドレスを登録しておき、宛先へ、回線が切断されたことを示す電子メールを自動送信するように構成してもよい。このほか、ファクシミリ装置１０において警告音を発したり、回線の切断を示す通信レポートを出力したりすることで回線の切断を通知してもよく、通知方法は適宜でよい。
【００８４】
さらに、第１ソフト制御ブロック４０は、誤発呼監視部３０から通知されたダイアルモニタ情報６５（第１の電話番号に関する）と、第１電話番号情報群６１、第２電話番号情報群６２もしくは電話番号情報群６３（第２の電話番号に関する）とを関連付けて不揮発記憶部２１に記憶する。ここでは、通信毎の履歴として保存される。すなわち、通信毎に、通信開始時刻、通信結果（誤発呼による回線切断の有無など）、ダイアル信号から検出した第１の電話番号、ユーザの指定した第２の電話番号などを関連付けしたものを通信履歴情報として記憶することができる。
【００８５】
不揮発記憶部２１に記憶された通信履歴情報は、通信ジャーナルの形式で印刷出力できるほか、外部端末へ送信でき、誤発呼の疑いがある場合には、その原因究明に通信履歴情報を役立てることができる。特に、第１の電話番号と第２の電話番号との比較結果、すなわち、回線切断の有無を通信履歴情報に含めて記憶しているので、誤発呼の生じた通信を通信履歴情報から容易に検索し特定することができる。たとえば、回線の強制切断を示すマークを通信ジャーナルの該当箇所に印刷するとよい。
【００８６】
図３は、ＮＣＵ２４と誤発呼監視部３０とを合わせたＮＣＵブロック７０の回路構成例を示している。ＮＣＵブロック７０は、電話回線２を接続するための回線接続端子７１と、外部電話機を接続するための外部電話接続端子７２と、回線接続端子７１と外部電話接続端子７２との間に介挿され、回線接続端子７１に接続された電話回線２をモデム（MODEM）７３などの内部回路側に接続するか外部電話接続端子７２側に接続するかを切り換えるＣＭＬ（Connect MODEM to Line）リレー７４とを備えている。
【００８７】
ＣＭＬリレー７４は、通常状態では電話回線２を外部電話接続端子７２側に接続し、ファクシミリ装置１０がファクシミリ通信を実行する期間だけ電話回線２をモデム７３などの内部回路側に接続するように、第２ソフト制御ブロック５０からのＣＭＬＤ（ＣＭＬリレー駆動）信号８５によって切り換え制御される。
【００８８】
回線接続端子７１とＣＭＬリレー７４との間には、電話回線２を強制的に切断する回線切断リレー９１と、直流ループの検出やパルスダイアル式のダイアル信号を検出するための回線電流検知部９２とを設けてある。直流ループの検知結果は、ＤＣＬＰ信号８６として第２ソフト制御ブロック５０に入力される。
【００８９】
ＣＭＬリレー７４と外部電話接続端子７２との間には、リング検知回路７５と、トランス７６とがそれぞれ回線に並列接続されており、トランス７６の２次側にはＤＴＭＦ（Dial Tone Multi Frequency）検知回路９３が接続されている。ＤＴＭＦ検知回路９３は、プッシュ式のダイアル信号であるプッシュ音あるいはトーン信号と呼ばれる信号音を検知する機能を果たす。リング検知回路７５は、着信を検知したとき所定のＲＩＮＧ信号８７を第２ソフト制御ブロック５０に出力する。
【００９０】
ＣＭＬリレー７４とモデム７３との間には、ブリッジ回路７８、トランス７９、２線／４線変換回路８１などが介挿されている。また、パルスダイアル信号を送出するために開閉されるＰＤリレー８２がＣＭＬリレー７４とブリッジ回路７８との間の回線に直列に介挿されている。ＰＤリレー８２の接点は、第２ソフト制御ブロック５０から入力されるＰＤ制御信号８８に従って開閉制御される。
【００９１】
モデム７３は、デジタルデータを電話回線２へ送出可能な音声信号に変換（変調）したり、電話回線２を通じて受信した音声信号をデジタルデータに変換（復調）したりする機能を果たす。プッシュボタン式で発呼するときは、モデム７３でダイアル信号（プッシュ音）を生成して電話回線２へ送出するようになっている。したがって、図２におけるダイアル送出回路２４ａの機能は、パルスダイアル式ではＰＤリレー８２が果たし、プッシュ式ではモデム７３が果たす。
【００９２】
ＮＣＵブロック７０は、さらに、ＣＰＵ９４と、回線切断駆動回路９５と、ダイアル信号検知回路９６とを備えている。回線切断駆動回路９５はＣＰＵ９４からの指示に従って回線切断リレー９１の駆動信号９１ａを出力する。ダイアル信号検知回路９６には、回線電流検知部９２の検知したパルスダイアル信号９２ａと、ＤＴＭＦ検知回路９３の検知したＰＢダイアル信号９３ａとが入力されており、ダイアル信号検知回路９６はこれらのダイアル信号９２ａ、９３ａが示す電話番号を認識する。
【００９３】
図２に示した回線切断回路３１の機能は回線切断リレー９１が果たし、ダイアル信号モニタ部３２の機能は回線電流検知部９２とＤＴＭＦ検知回路９３とＣＰＵ９４と回線切断駆動回路９５とダイアル信号検知回路９６とで実現される。詳細には、ダイアル信号検知回路９６は、電話回線２上に送出されるダイアル信号を検出するダイアル信号検出手段としての機能を果たす。ＣＰＵ９４は、ダイアル信号検知回路９６によって検出されたダイアル信号が示す第１の電話番号と、電話番号入力手段で入力された電話番号情報もしくは選択手段で選択された電話番号情報が示す第２の電話番号とが一致するか否かを比較する比較手段と、この比較手段による比較の結果、第１の電話番号と第２の電話番号とが一致しない場合に回線を切断する制御手段としての機能を果たす。実際の回線切断は、ＣＰＵ９４からの指示を受けた回線切断駆動回路９５が回線切断リレー９１を開放することで行なわれる。
【００９４】
ＣＰＵ９４には、ファクシミリ送信の開始に先立って、第１ソフト制御ブロック４０から電話番号情報６１、６２が第２ソフト制御ブロック５０を通じて入力される。また、ＣＰＵ９４は、ダイアル信号９２ａ、９３ａから認識した電話番号を表わしたダイアルモニタ情報６５や回線切断の通知を第２ソフト制御ブロック５０に送信する。
【００９５】
検出したダイアル信号９２ａ、９３ａが示す第１の電話番号と第１ソフト制御ブロック４０から受け取った第２の電話番号６１、６２との比較判断を、第１ソフト制御ブロック４０および第２ソフト制御ブロック５０と独立したＣＰＵ９４で行なうことにより、比較判断自体が他のソフトウェア処理との相互関連で誤動作することを防止して、誤発呼検知の信頼性を高めている。ＣＰＵ９４に代えて、その機能を論理回路などの独立した回路で構成してもよい。
【００９６】
なお、電話回線２上のダイアル信号を常時検知しておき、何らかのダイアル信号を検知した場合に、そのダイアル信号が示す第１の電話番号とのユーザ指定の第２の電話番号との比較動作を実行すると共に、第１、第２の電話番号の履歴を残すようにするとよい。このようにすれば、ファクシミリ装置１０の外部電話接続端子７２に接続された他のファクシミリ装置が送信した場合には、ダイアル信号が検出されて第１の電話番号が認識されるが、第１ソフト制御ブロック４０から電話番号情報（第２の電話番号）が通知されていないので、第１の電話番号と第２の電話番号（空白）とが不一致となって回線が切断される。また、第１の電話番号が存在しかつ第２の電話番号が存在しない（空白）という通信履歴が残るので、該通信履歴に係わる発呼が、外部電話接続端子７２に接続された他のファクシミリ装置によるもので当該ファクシミリ装置１０による誤発呼でないことを確認することが可能になる。
【００９７】
図４は、本発明の第２の実施の形態に係わる誤発呼監視装置１００を示している。誤発呼監視装置１００は、ファクシミリ装置１１０と電話回線２との間に介挿するように接続される。誤発呼監視装置１００は、図２の誤発呼監視部３０に相当する機能を外付け装置として構成したものである。
【００９８】
誤発呼監視装置１００は、ファクシミリ装置１１０から送信先の電話番号情報を入手する電話番号入手手段１０１と、ファクシミリ装置１１０が電話回線２に送出するダイアル信号を検出するダイアル信号検出手段１０２と、検出されたダイアル信号が示す第１の電話番号と、電話番号入手手段１０１で入手した電話番号情報が示す第２の電話番号とが一致するか否かを比較する比較手段１０３と、比較手段１０３による比較の結果、第１の電話番号と第２の電話番号とが一致しない場合に、ファクシミリ装置１１０と電話回線２とを切断する回線切断手段１０４と、回線を切断した場合にその旨を通知する通知手段１０５と、監視履歴を記憶する記憶手段１０６とを備えている。
【００９９】
このうち、電話番号入手手段１０１とダイアル信号検出手段１０２と比較手段１０３とが図２のダイアル信号モニタ部３２に相当し、回線切断手段１０４が図２の回線切断回路３１に相当する。回線切断手段１０４は、通常状態では電話回線２とファクシミリ装置１１０とを接続している。
【０１００】
誤発呼監視装置１００とファクシミリ装置１１０とは、電話番号情報などを伝達するための専用Ｉ／Ｆで接続されている。たとえば、ＵＳＢ（Universal Serial Bus）Ｉ／Ｆを使用する。また、誤発呼監視装置１００とファクシミリ装置１１０との間を接続する電話回線２ａを利用して電話番号情報などの情報を伝達するように構成してもよい。すなわち、ファクシミリ装置１１０から誤発呼監視装置１００へ通知する電話番号情報をファクシミリ装置１１０のモデムで変調して電話回線２ａ上に送出し、これを誤発呼監視装置１００で復調することで電話番号情報を伝達することができる。
【０１０１】
ダイアル信号検出手段１０２は、図３における回線電流検知部９２とＤＴＭＦ検知回路９３とダイアル信号検知回路９６との各回路と同等の回路で構成される。比較手段１０３は、ＣＰＵあるいは専用の論理回路で構成される。通知手段１０５は、図示省略の表示部に回線が切断された旨の警告を表示する。このほか、ファクシミリ装置１１０に所定のＩ／Ｆを通じて回線の切断を通知し、ファクシミリ装置１１０の表示部に回線が切断されたことを表示したり、外部端末に対して電子メールを送信することで回線の切断を通知したりする構成でもよい。
【０１０２】
記憶手段１０６は不揮発メモリで構成され、ダイアル信号検出手段１０２で検出したダイアル信号が示す第１の電話番号と、電話番号入手手段１０１で入手した電話番号情報が示す第２の電話番号とを関連付けて記憶する。ここでは、通信日時などと関連付けて、通信毎の履歴として記憶するようになっている。記憶手段１０６に記憶された情報は通知手段１０５の表示部で表示できるほか、ファクシミリ装置１１０に所定のＩ／Ｆを通じて伝送して表示や印刷をさせたり、外部端末に対して送信したりする構成でもよい。
【０１０３】
ファクシミリ装置１１０はファクシミリ送信の開始に先立って電話番号情報を誤発呼監視装置１００に向けて送出する。誤発呼監視装置１００の電話番号入手手段１０１はファクシミリ装置１１０から電話番号情報を受信する。その後、ダイアル信号検出手段１０２はファクシミリ装置１１０が電話回線２ａ上に送出したダイアル信号を検知し、比較手段１０３は、該検知したダイアル信号が示す第１の電話番号と、電話番号入手手段１０１がファクシミリ装置１１０から入手した電話番号情報が示す第２の電話番号とを比較し、これらが不一致の場合に回線切断手段１０４の接点を開放してファクシミリ装置１１０を電話回線２から切り離す。また、回線を切断した場合は、その旨の通知を通知手段１０５で行なう。記憶手段１０６には、第１の電話番号と第２の電話番号とが通信毎に履歴として記憶されると共に、回線を切断したときは、その旨の情報が第１の電話番号や第２の電話番号と関連付けて記憶される。
【０１０４】
このように動作する誤発呼監視装置１００をファクシミリ装置１１０に外付けして使用すれば、すでに設置されたファクシミリ装置１１０の誤発呼を監視することができる。なお、電話回線２上のダイアル信号を常時検知しておき、何らかのダイアル信号を検知した場合に、そのダイアル信号が示す第１の電話番号とファクシミリ装置１１０から通知された第２の電話番号との比較動作を実行すると共に、第１、第２の電話番号の履歴を残すようにするとよい。このようにすれば、ファクシミリ装置１１０の外部電話接続端子に接続された他のファクシミリ装置が送信したときは、第１の電話番号は認識されるが、ファクシミリ装置１１０から通知された第２の電話番号は存在しない（空白）ので、第１の電話番号と第２の電話番号（空白）とが不一致となって回線が切断される。また、第１の電話番号が存在しかつ第２の電話番号が存在しない（空白）という通信履歴が残るので、該通信履歴に係わる発呼が、ファクシミリ装置１１０の外部電話接続端子に接続された他のファクシミリ装置によるものでファクシミリ装置１１０による誤発呼でないことを確認することが可能になる。
【０１０５】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０６】
たとえば、実施の形態では、パルスダイアル式とプッシュダイアル式の双方に対応可能に構成したが、いずれか一方でもかまわない。
【０１０７】
また、第１の実施の形態では、第１電話番号情報群６１と第２電話番号情報群６２とをダイアル信号モニタ部３２に通知し、この電話番号情報が示す第２の電話番号とダイアル信号が示す第１の電話番号とをダイアル信号モニタ部３２で比較するように構成したが、比較動作や比較の結果による回線切断の制御は、他の部分、たとえば、第１ソフト制御ブロック４０で行なってもよい。すなわち、第１ソフト制御ブロック４０は、ダイアル信号モニタ部３２から第２ソフト制御ブロック５０を介して通知されたダイアルモニタ情報６５が示す電話番号と、ユーザが指定した第１電話番号情報群６１や第２電話番号情報群６２が示す電話番号とを比較し、一致しない場合に、第１ソフト制御ブロック４０から回線切断回路３１に所定の制御コマンドを出力して回線を切断するように構成してもよい。
【０１０８】
また、実施の形態では、ダイアル信号が示す第１の電話番号が番号テーブル６６に登録された複数の電話番号の中のいずれかと一致するか否かを比較したが、今回の発呼動作に係わる第２の電話番号を一意に特定できる場合は、その第２の電話番号との一致・不一致のみを比較するように構成してもよい。
【０１０９】
なお、実施の形態では、第１の電話番号と第２の電話番号とが一致しない場合に回線を切断する機能と、その履歴を残す機能の双方を具備させたが、いずれか一方のみを備える構成でもかまわない。また、本実施の形態においては、ファクシミリ装置およびファクシミリ装置に用いることができる誤発呼監視装置として述べてきたが、本発明において、ファクシミリ装置とは、ファクシミリの機能を有している装置であれば、コピー機能やプリンタ機能等の機能を併せ持つ装置であっても構わない。
【図面の簡単な説明】
【０１１０】
【図１】本発明の第１の実施の形態に係わるファクシミリ装置の構成を示すブロック図である。
【図２】本発明の第１の実施の形態に係わるファクシミリ装置のうち、発呼動作に関連する部分の概略構成とデータの流れとを示す説明図である。
【図３】ＮＣＵと誤発呼監視部とを合わせたＮＣＵブロックの構成例を示す回路図である。
【図４】本発明の第２の実施の形態に係わる誤発呼監視装置の構成を示すブロック図である。
【符号の説明】
【０１１１】
２…電話回線
２ａ…ファクシミリ装置と外付けの誤発呼監視装置とを接続する電話回線
１０…ファクシミリ装置
１１…ＣＰＵ
１２…バス
１３…ＲＯＭ
１４…ＲＡＭ
１５…読取部
１６…記録部
１７…画像処理部
１８…表示部
１９…操作部
２１…不揮発記憶部
２２…ネットワークＩ／Ｆ部
２３…ファクシミリ制御部
２４…ＮＣＵ
２４ａ…ダイアル送出回路
３０…誤発呼監視部
３１…回線切断回路
３２…ダイアル信号モニタ部
４０…第１ソフト制御ブロック
４１…ジョブ制御部
４２…パネル制御部
４３…ＦＡＸドライバ
５０…第２ソフト制御ブロック
５１…ＦＡＸ制御部
５２…回線制御部
６１…第１電話番号情報群
６２…第２電話番号情報群
６３…電話番号情報群
６４…電話番号情報
６５…ダイアルモニタ情報
６６…番号テーブル
７０…ＮＣＵブロック
７１…回線接続端子
７２…外部電話接続端子
７３…モデム
７４…ＣＭＬリレー
７５…リング検知回路
７６…トランス
７８…ブリッジ回路
７９…トランス
８１…２線／４線変換回路
８２…ＰＤリレー
８５…ＣＭＬＤ信号
８６…ＤＣＬＰ信号
８７…ＲＩＮＧ信号
８８…ＰＤ制御信号
９１…回線切断リレー
９１ａ…駆動信号
９２…回線電流検知部
９２ａ…パルスダイアル信号
９３…ＤＴＭＦ検知回路
９３ａ…ＰＢダイアル信号
９４…ＣＰＵ
９５…回線切断駆動回路
９６…ダイアル信号検知回路
１００…誤発呼監視装置
１０１…電話番号入手手段
１０２…ダイアル信号検出手段
１０３…比較手段
１０４…回線切断手段
１０５…通知手段
１０６…記憶手段
１１０…ファクシミリ装置
【図１】
2007088724.tif 000003
【図２】
2007088724.tif 000004
【図３】
2007088724.tif 000005
【図４】
2007088724.tif 000006